(57)【要約】【課題】梱包される被収納物の大きさに柔軟に対応可能な収納容器を提供する。【解決手段】本発明の収納容器は、底部１０と、該底部１０の外縁部より立設された側壁部２０，３０と、前記底部１０と、前記側壁部２０，３０とにより形成された収納空間Ｓの内部において、該収納空間Ｓの中心を挟んで互いに対向配置され、底部側端部４１ａ，４２ａの少なくとも一部４１ａが前記側壁部２０の底部側縁部２１ａに取り付けられ、前記該底部側端部４１ａを中心として揺動可能な２枚の保持部材４０と、を備えることを特徴とする。【選択図】図１
2010274948.tif 000002
【特許請求の範囲】
【請求項１】
底部と、
該底部の外縁部より立設された側壁部と、
前記底部と前記側壁部とにより形成された収納空間の内部において、
該収納空間の中心を挟んで互いに対向配置され、
底部側端部の少なくとも一部が前記側壁部の底部側縁部に取り付けられ、前記該底部側端部を中心として揺動可能な２枚の保持部材と、
を備えることを特徴とする収納容器。
【請求項２】
請求項１に記載の収納容器であって、
前記保持部材の前記底部側端部が取り付けられた前記側壁部の前記底部側縁部は、
前記側壁部の開口側縁部を中心として揺動可能であること、
を特徴とする収納容器。
【請求項３】
請求項２に記載の収納容器であって、
前記側壁部は、それぞれが互いに対向する対の壁部材で構成される第１側壁部と第２側壁部とを有し、
前記第１側壁部は、それぞれ、前記収納空間側に配置された内壁部と、前記収納容器の最外部となる外壁部とを有し、
前記内壁部は、被収納物を収納しない状態で、前記底部側から開口側に向かって該開口が広がる方向に傾斜していること、
を特徴とする収納容器。
【請求項４】
請求項１〜３のいずれか１項に記載の収納容器であって、
前記保持部材の両端部の高さは、中央部よりも低くなっていること、
を特徴とする収納容器。
【請求項５】
請求項３又は４のいずれか１項に記載の収納容器であって、
前記第１側壁部の前記内壁部と、前記外壁部とは、連結壁部により連結され、
前記外壁部と前記連結壁部との間に形成される前記底部側の角度は、鋭角であること、
を特徴とする収納容器。
【請求項６】
請求項１〜５のいずれか１項に記載の収納容器であって、
該収納容器は、一枚の部材を折り曲げることにより形成されていること、
を特徴とする収納容器。
【請求項７】
請求項１〜６のいずれか１項に記載の収納容器であって、
ダンボール材で製造されていること、
を特徴とする収納容器。
【発明の詳細な説明】
【技術分野】
【０００１】
本発明は、撮影用レンズ等の被収納物を梱包する収納容器に関するものである。
【背景技術】
【０００２】
従来、円形や楕円、又は端面が多角形形状をした被収納物を梱包する収納容器としては、例えば、被収納物を収め得る六面体の外箱と、外箱に収めた被収納物と外箱の周側における四箇所の入隅部に介在させる四個の緩衝部材とを備えるものがある（例えば、特許文献１参照）。
【先行技術文献】
【特許文献】
【０００３】
【特許文献１】特開２００１−１６３３２６号公報
【発明の概要】
【発明が解決しようとする課題】
【０００４】
しかし、上記収納容器は、被収納物の大きさに合わせて設計されており、被収納物の大きさが異なる場合、収納容器の構造も変更する必要がある。
【０００５】
本発明の課題は、梱包される被収納物の大きさに柔軟に対応可能な収納容器を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、底部（１０）と、該底部（１０）の外縁部より立設された側壁部（２０，３０）と、前記底部（１０）と、前記側壁部（２０，３０）とにより形成された収納空間（Ｓ）の内部において、該収納空間（Ｓ）の中心を挟んで互いに対向配置され、底部側端部（４１ａ，４２ａ）の少なくとも一部（４１ａ）が前記側壁部（２０）の底部側縁部（２１ａ）に取り付けられ、前記該底部側端部（４１ａ）を中心として揺動可能な２枚の保持部材（４０）と、を備えることを特徴とする収納容器（１）である。
請求項２に記載の発明は、請求項１に記載の収納容器（１）であって、前記保持部材（４０）の前記底部側端部（４１ａ）が取り付けられた前記側壁部（２０）の前記底部側縁部（２１ａ）は、前記側壁部（２０）の開口側縁部（２１ｂ）を中心として揺動可能であること、を特徴とする収納容器（１）である。
請求項３に記載の発明は、請求項２に記載の収納容器（１）であって、前記側壁部（２０，３０）は、それぞれが互いに対向する対の壁部材で構成される第１側壁部（２０）と第２側壁部（３０）とを有し、前記第１側壁部（２０）は、それぞれ、前記収納空間（Ｓ）側に配置された内壁部（２１）と、前記収納容器（１）の最外部となる外壁部（２２）とを有し、前記内壁部（２１）は、被収納物（Ｌ）を収納しない状態で、前記底部（１０）側から開口側に向かって該開口が広がる方向に傾斜していること、を特徴とする収納容器（１）である。
請求項４に記載の発明は、請求項１〜３のいずれか１項に記載の収納容器（１）であって、前記保持部材（４０）の両端部（４２ｂ）の高さは、中央部（４１）よりも低くなっていること、を特徴とする収納容器（１）である。
請求項５に記載の発明は、請求項１〜４のいずれか１項に記載の収納容器（１）であって、前記第１側壁部（２０）の前記内壁部（２１）と、前記外壁部（２２）とは、連結壁部（２３）により連結され、前記外壁部（２２）と前記連結壁部（２３）との間に形成される前記底部（１０）側の角度は、鋭角であること、を特徴とする収納容器（１）である。
請求項６に記載の発明は、請求項１〜５のいずれか１項に記載の収納容器（１）であって、該収納容器（１）は、一枚の部材を折り曲げることにより形成されていること、を特徴とする収納容器（１）である。
請求項７に記載の発明は、請求項１〜６のいずれか１項に記載の収納容器（１）であって、ダンボール材で製造されていること、を特徴とする収納容器（１）である。
なお、符号を付して説明した構成は、適宜改良してもよく、また、少なくとも一部を他の構成物に代替してもよい。
【発明の効果】
【０００８】
本発明によれば、梱包される被収納物の大きさに柔軟に対応可能な収納容器を提供することができる。
【図面の簡単な説明】
【０００９】
【図１】本発明の一実施形態の収納容器の斜視図である。
【図２】収納容器の側面図であり、（ａ）は全体図、（ｂ）は（ａ）の部分拡大図である。
【図３】収納容器に被収納物が収納された状態を示す図である。
【図４】図３に対する比較形態を示す図である。
【図５】図３に対する比較形態を示した図である。
【図６】組立て前の収納容器を示した図である。
【図７】展開された紙材を折りたたんで収納容器を組み立てる組み立て方を示す図である。
【図８】被収納物が収納された収納容器１を外箱に入れた状態を示した図である。
【発明を実施するための形態】
【００１０】
以下、図面等を参照して、本発明の一実施形態の収納容器１について説明する。なお、以下に示す各図には、説明と理解を容易にするために、ＸＹＺ直交座標系を設けた。この座標系では、収納容器１の底部１０をＸＹ平面とし、底部１０から収納容器１の開口部側に向かう方向をＺ方向とする。
【００１１】
図１は本実施形態の収納容器１の斜視図であり、図２は収納容器１の側面図であり、（ａ）は全体図、（ｂ）は部分拡大図である。図示するように、収納容器１は、上面（Ｚプラス側面）が開口した箱型容器であり、矩形の底部１０と、底部１０の外縁部より立設する側壁部２０，３０とを備える。この収納容器１は、これに限定されるものではないが、ダンボール紙で製造されている。
【００１２】
側壁部２０，３０は、互いに対向する対の壁部材で構成される第１側壁部２０と第２側壁部３０とを有する。第１側壁部２０の一つは、収納空間Ｓ側に配置された内壁部２１と、収納容器１の最外部となる外壁部２２と、内壁部２１と外壁部２２とを連結する連結壁部２３とを有する。ここで、図２に示すように、内壁部２１の上辺部の底部１０からの高さＺ１は、外壁部２２の底部１０からの高さＺ２より低い。これにより、連結壁部２３と外壁部２２と間に形成される角度αは、鋭角となっている。
【００１３】
第２側壁部３０は、一枚の板状に構成された矩形部材であって、開口側の両端側に溝部３１が形成されている。一方、第１側壁部２０の内壁部２１の底部側の両端側には、溝部２４が形成されている。そして、内壁部２１の溝部２４を第２側壁部３０の溝部３１に差し込むことにより、第１側壁部２０と第２側壁部３０とが連結されている。
【００１４】
図２（ｂ）に示すように、第２側壁部３０の溝部３１の幅Ｘ１は、第１側壁部２０の内壁部２１の厚みＸ２より広くなっている。このため、被収納物を収納しない図２の状態において、内壁部２１の内面（収納空間Ｓ側面）は、溝部３１の底側３１ａで溝部３１の溝壁と接し、内壁部２１の外面は、溝部２４の開口側３１ｂで溝部３１の溝壁と接している。これにより、内壁部２１はＺ軸に対して角度βだけ傾いて配置される。
【００１５】
収納容器１の収納空間Ｓの内部には、２枚の保持部材４０が収納空間Ｓの中心を挟んで互いに対向配置されている。保持部材４０は、中央板部４１と、中央板部４１の両側から延びる２枚の側板部４２とを有する。側板部４２は、図１に示すように中央板部側において高さＺ３であり、中央板部４１から離れるに従い低くなり、両端部４２ｂでは、Ｚ３より低い高さＺ４となる。そして、側板部４２は中央板部４１とともに収納空間Ｓの中心Ｃを囲むように配置される。このように保持部材４０が中心Ｃを囲むように配置されることにより、互いに対向する２つの保持部材４０と第２側壁部３０とによって収納空間Ｓの中心Ｃを中心とした８角形が形成される。
【００１６】
中央板部４１の底部側端部４１ａは第１側壁部２０の内壁部２１の底部側端部２１ａと連続している。
一方、側板部４２の底部側端部４２ａは、第１側壁部２０の内壁部２１の底部側端部２１ａに対しても、また底部１０に対しても非固定状態である。
これにより、保持部材４０は、中央板部４１の底部側端部（２１ａ）を中心として、図２（ｂ）で矢印Ａに示すように、第１側壁部２０の内壁部２１の傾きである角度βだけ揺動可能となっている。
【００１７】
図３は収納容器１に被収納物Ｌが収納された状態を示す図である。これらの被収納物Ｌは、例えば撮影用レンズ等の円筒型の被収納物である。図３（ａ）は、小径の被収納物Ｌを収納する場合を示し、図３（ｂ）は下部が小径で上部が大径の被収納物Ｌを収納する場合を示し、図３（ｃ）は大径の被収納物Ｌを収納する場合を示す。なお、本実施形態で「小径」とは、収納容器１の第１側壁部２０の内壁部２１が、被収納物を収納しない状態とほぼ同様な角度のまま収納できる被収納物の径をいう。また、「大径」とは、小径より大きい径であって、大径の被収納物を収納した際に、収納容器１の第１側壁部２０の内壁部２１の底部側端部２１ａが、被収納物Ｌを収納しない状態から収納空間Ｓが広がる方向に移動する径をいう。
【００１８】
図３（ａ）は、上述のように、小径の被収納物Ｌを収納する場合を示す。保持部材４０は底部１０に対して略垂直な状態で被収納物Ｌを保持している。図３（ｂ）は、上述のように、下部が小径で上部が大径の被収納物Ｌを収納する場合を示す。保持部材４０は、底部１０に対して傾き、内壁部２１と接した状態で被収納物Ｌを保持している。図３（ｃ）は、上述のように、大径の被収納物Ｌを収納する場合を示す。内壁部２１の底部側端部２１ａは、被収納物Ｌの径に応じて収納空間Ｓを広げる方向に移動する。内壁部２１は、最大、内壁部２１が底部１０に垂直になるまで（内壁部２１の外面が溝部３１の内面と接触するまで）移動可能である。図３（ｃ）は収納容器１で収納しうる最大径の被収納物Ｌを収納した状態を示す。このように、本実施形態の収納容器１は、太さの異なる被収納物、また径が一定でない被収納物Ｌを収納することができる。
【００１９】
また、上述したように、本実施形態において外壁部２２と連結壁部２３との角度αは鋭角である。図４は、図３（ｂ）で示す本実施形態の比較形態として角度αが９０度以上の場合を示した図である。図４に示すように、保持部材４０が内壁部２１に沿って角度β傾いて力Ｆで内壁部２１を押圧したとき、角度αが９０度以上の場合、内壁部２１にはＦの分力である上向きの力（図中Ｆ１）が働く。従って内壁部２１が力Ｆ１の方向に持ち上がり収納容器１の形状が崩れる可能性がある。
【００２０】
しかし、本実施形態では、図３（ｂ）に示すように外壁部２２と連結壁部２３との角度αは鋭角である。保持部材４０が内壁部２１に沿って角度β傾いて力Ｆで内壁部２１を押圧したとき、内壁部２１にはＦの分力であるＦ１は下向きの力となる。従って内壁部２１が上向きに持ち上がることがなく、収納容器１の形状が崩れにくい。
【００２１】
また、本実施形態で保持部材４０の側板部４２は、図１に示すように上述のように中央板部４１から離れるに従い、高さＺ４からＺ３へと徐々に低くなっている。図５は本実施形態と異なる保持部材４０の形状を有する比較形態を示した図である。
【００２２】
図５（ａ）は側板部４２の高さが、中央板部４１と等しく、保持部材４０として一定の高さである場合である。図５（ｂ）は側板部４２の中央部が一番高く、両端が低くなった山形である場合である。図５（ｃ）は側板部４２の高さが、中央板部４１から離れるに従い高くなっている場合を示した図である。
【００２３】
例えば、レンズ鏡筒等の円筒型の収納物を収納する際に、図５（ａ）においては、２枚の中央板部４１と４枚の側板部４２の上辺の６箇所が同時に被収納物の端部に当たる。このため、被収納物を収納しにくく、被収納物の端部で保持部材４０の上辺側を開いて押し込む必要がある。図５（ｂ）においては、円筒型の被収納物を挿入する際に、側板部４２の山形の頂点部４箇所が被収納物の端部に当たる。このため、上記図５（ａ）と同様に被収納物を収納しにくく、被収納物の端部で保持部材４０の上辺側を開いて押し込む必要がある。図５（ｃ）においても、山形と同様、円筒型の被収納物を挿入する際に、側板部４２の端部４箇所が被収納物の端部に当たる。このため、上記図５（ａ）及び（ｂ）と同様に被収納物を収納しにくく、被収納物の端部で保持部材４０の上辺側を開いて押し込む必要がある。
【００２４】
これに対して図１の本実施形態の場合、円筒型の被収納物を挿入する際に、まず、中央板部４１の上辺が円筒型収納物の側面に当たる。この際、中央板部４１は、底部側端部４１ａを中心として傾き、保持部材４０の開口が広がるので、被収納物を収納しやすい。
【００２５】
次に、収納容器１の製造方法について説明する。本実施形態の収納容器１は、１枚の平らな紙部材を組み立てたものである。図６は組立て前の収納容器１を示した図である。
【００２６】
組立て前の展開した状態において、矩形の底部１０の短辺側には第１側壁部２０が連続して延びている。第１側壁部２０となる部分も、矩形であって、底部１０側から外壁部２２、連結壁部２３、内壁部２１と連続している。内壁部２１からは、さらに保持部材４０が連続している。内壁部２１は、保持部材４０の中央板部４１と連続しているが、側板部４２とは連続せず、内壁部２１と側板部４２との間には切れ込み４３が設けられている。そして、その切れ込み４３が設けられている部分の内壁部２１側には、溝部２４が形成されている。溝部２４の角部は切断されて略Ｖ字形となっている。
【００２７】
底部１０の長辺側には第２側壁部３０が連続して延びている。第２側壁部３０となる部分も、矩形であり、中心よりやや底部１０側の部分に折り返し線３２となる。この折り返し線３２と交差するように、溝部３１が形成され、溝部３１と折り返し線３２が交差する部分はＶ字形に切れ込まれている。
【００２８】
次に、展開された紙材を折りたたんで収納容器１を組み立てる組み立て方について図７により説明する。まず、図７（ａ）に示すように、第２側壁部３０と底部１０との境界線を谷折りにし、第２側壁部３０の折り返し線３２を山折りにする。次に、図７（ｂ）に示すように、第１側壁部２０と底部１０との境界を谷折にし、第１側壁部２０における外壁部２２と連結壁部２３との間、及び連結壁部２３と内壁部２１との間を谷折りにする。さらに内壁部２１と保持部材４０の中央板部４１との間を山折りにし、中央板部４１と側板部４２との間を谷折りにする。図７（ｃ）に示すように、内壁部２１の溝部２４を、第２側壁部３０の溝部３１に差し込む。図７（ｄ）は、片側を差し込んだ状態を示した図である。この際、図２に示すように、溝部３１は内壁部２１の厚みより太いため、内壁部２１は紙の復元力により傾斜した状態となる。さらに他方の第１側壁部２０も組み立てて図７（ｅ）に示すように収納容器１が完成する。
【００２９】
この状態で、例えば円筒状の被収納物を保持部材４０の間に挿入することにより収納容器１に収納する。被収納物が収納された収納容器１は、図８に示すように６面体の外箱５０に収納される。
【００３０】
以上、本実施形態によると、以下の効果を有する。
（１）内壁部２１の底部側端部は、被収納物Ｌの径に応じて収納空間Ｓを広げる方向、最大、内壁部２１が底部１０に垂直になるまで（内壁部２１の外面が溝部３１の内面と接触するまで）移動可能である。このため、本実施形態の収納容器１は、太さの異なる被収納物を収納することができる。
【００３１】
（２）保持部材４０は、中央板部４１の底部１０側端部を中心として、第１側壁部２０の内壁部２１の傾きである角度βだけ揺動可能となっている。このように保持部材４０は、角度βだけ傾くことができるので、収納容器１は、太さの異なる被収納物を収納することができる。
【００３２】
（３）外壁部２２と連結壁部２３との角度αは鋭角である。このため、保持部材４０が内壁部２１に沿って角度β傾いて力Ｆで内壁部２１を押圧したとき、内壁部２１にはＦの分力であるＦ１は下向きの力となる。従って内壁部２１が上向きに持ち上がることがなく、収納容器１の形状が崩れにくい。
【００３３】
（４）本実施形態の場合、円筒型の被収納物を挿入する際に、中央板部４１の上辺が円筒型収納物の側面に当たり、この際、中央板部４１は、底部側端部４１ａを中心として傾き、保持部材４０の開口が広がるので、被収納物を収納しやすい。
【００３４】
（５）本実施形態の収納容器１は、ダンボール紙で製造されている。発泡材の緩衝材を用いないので、環境に配慮した製品となっている。また、ダンボール紙を用いても十分な強度を得ることができる。またダンボール紙を用いることで材料費が安く、加工が容易であるため、全体として安価に製造することができる。さらに一枚の紙から製造できるので、部品点数が減少され、この点からも安価な製造が可能である。また、ダンボール紙はクッション性を有するため、収納容器１に収納される被収納物の保護性が優れている。
【００３５】
（変形形態）
以上、説明した実施形態に限定されることなく、以下に示すような種々の変形や変更が可能であり、それらも本発明の範囲内である。
（１）本実施形態では、第２側壁部３０の開口側の両端側に形成された溝部３１の幅Ｘ１を、第１側壁部２０の内壁部２１の厚みＸ２より広くし、これにより第１側壁部２０の内壁部２１をＺ軸に対して角度βだけ傾いて配置した。これは、太い溝の形成が容易だからである。ただし、これに限らず、第２側壁部３０の開口側の両端側に形成された溝部３１を斜めに形成してもよい。このように溝部３１を斜めに形成することによっても、第１側壁部２０の内壁部２１をＺ軸に対して角度βだけ傾いて配置することができる。
【００３６】
（２）また、本実施形態では、ダンボール紙を材料として収納容器を製造したが、材料はこれに限定されず、プラスチック材、厚紙等であってもよい。
（３）本実施形態では、被収納物として交換レンズを例として説明したが、これに限定されない。例えば、接写リング、ファインダ用アクセサリ、変倍アングルファインダ、レンズフード等であってもよい。
なお、実施形態及び変形形態は、適宜組み合わせて用いることもできるが、詳細な説明は省略する。また、本発明は以上説明した実施形態によって限定されることはない。
【符号の説明】
【００３７】
１：収納容器、１０：底部、２０：第１側壁部、２１：内壁部、２１ａ：底部側縁部、２２：外壁部、２３：連結壁、３０：第２側壁部、４１ａ：底部側端部、４２ａ：底部側端部、Ｓ：収納空間
【図１】
2010274948.tif 000003
【図２】
2010274948.tif 000004
【図３】
2010274948.tif 000005
【図４】
2010274948.tif 000006
【図５】
2010274948.tif 000007
【図６】
2010274948.tif 000008
【図７】
2010274948.tif 000009
【図８】
2010274948.tif 000010